(57)【要約】      （修正有）【課題】マルチパック用包装箱同士の接触に基づく底面板の開口部側の端部や、底面板と側面板との接合箇所が、破損ないし損傷するという不都合を極力回避することができる新規な形態のマルチパック用包装箱を提供する。【解決手段】容器群の上面を覆う上面板２と、各容器の側面を覆う側面板４，５と、互いに係着しうる係止部を有する第１および第２の底面板５，６とを備え、第１および第２の底面板を係着することにより容器群を包むように収納するとともに、側面板が存在しない両端部において開口部が形成されているマルチパック用包装箱１であり、底面部の開口部側の端部には、折り込み片の折込による容器保持機能が形成されておらず、底面部を構成する第１および第２の底面板５，６の端面がそのまま存在する状態で底面部の開口部側が形成されており、第１および第２の底面板のいずれか一方にのみ、開口部側の端部に所定形状の切り欠き部２００が形成される。【選択図】図１
2010058790.tif 000002
【特許請求の範囲】
【請求項１】
複数個を並列に配置された容器群の上面を覆う上面板と、
この上面板の両側部に連接され並列された各容器の側面を覆う側面板と、
これら側面板に連接され互いに係着しうる係止部を有する第１および第２の底面板とを備え、前記第１および第２の底面板を係着することにより前記容器群を包むように収納することができる底面部が形成され、側面板が存在しない両端部において容器群の一部の側面が覗く開口部が形成されているマルチパック用包装箱において、
前記底面部の開口部側の端部には、いわゆるボトムガセットと呼ばれる折り込み片の折込による容器保持機能が形成されておらず、底面部を構成する第１および第２の底面板の端面がそのまま存在する状態で底面部の開口部側が形成されており、
前記第１および第２の底面板のいずれか一方にのみ、当該開口部側の端部において切り欠き部が形成されており、
当該切り欠き部は、マルチパック用包装箱同士の接触に基づく底面板の開口部側の端部、および底面板と側面板との接合箇所が、破損ないしは損傷するのを防止するように作用することを特徴とするマルチパック用包装箱。
【請求項２】
前記切り欠き部は、底面板の開口部側の端から端までの幅をＷ１とした場合、幅Ｗ１の実質的な中央を中心線ＰとしてＷ２の幅に形成されており、Ｗ２／Ｗ１＝０．２〜０．７である請求項１に記載のマルチパック用包装箱。
【請求項３】
前記切り欠き部は、前記中心線Ｐを中心として形成された山部と、この山部の両側の裾部に連結して形成された２つの谷部を備えてなる請求項２に記載のマルチパック用包装箱。
【請求項４】
前記山部の頂部位置は、底面板の開口部側の端から端までを結んだラインよりも包装箱の内側に存在する請求項３に記載のマルチパック用包装箱。
【請求項５】
前記山部の頂部位置が、底面板の開口部側の端から端までを結んだラインから内側に存在する距離Ｄ１は、Ｄ１＝０〜５ｍｍの範囲内である請求項４に記載のマルチパック用包装箱。
【請求項６】
前記切り欠き部を構成する２つの谷部の最下点同士を結んだ距離をＬ１とした場合、Ｌ１／Ｗ１＝０．２〜０．６４である請求項３ないし請求項５のいずれかに記載のマルチパック用包装箱。
【請求項７】
前記谷部の最下点位置が、底面板の開口部側の端から端までを結んだラインから内側に存在する距離Ｄ２は、Ｄ２＝２〜９ｍｍの範囲内である請求項６に記載のマルチパック用包装箱。
【請求項８】
前記切り欠き部は、その形態が、前記中心線Ｐを中心として鏡像関係に形成されている請求項３ないし請求項７のいずれかに記載のマルチパック用包装箱。
【請求項９】
前記第１の底面板と側面板の境目である折り線、および前記第２の底面板と側面板の境目である折り線を分断するように、かつ、容器の収納配列に合せて、容器底係止ホールが形成されている請求項１ないし請求項８のいずれかに記載のマルチパック用包装箱。
【請求項１０】
マルチパック用包装箱の中に収納される容器は、２列配置であり、
前記第１および第２の底面板を係着することにより形成される係止片の一部は、折り曲げられて底面から立てられた状態とされ、２列配置の容器を１列ごとに区分けする分離帯の機能を果たす請求項１ないし請求項９のいずれかに記載のマルチパック用包装箱。
【発明の詳細な説明】
【技術分野】
【０００１】
本発明は、例えば小壜ビール、壜入り栄養ドリンク、缶ビール、缶ジュース等の一定数量の容器を並列した状態のまま包装するマルチパック用包装箱に関する。特に、底面板の開口部側の端部には、折り込み片の折込による容器保持機能が形成されておらず、底面板の端面が底板面に沿ったまま露出する状態で底面板の開口部側が形成されているマルチパック用包装箱に関する。
【背景技術】
【０００２】
従来から、小壜ビール、壜入り栄養ドリンク、缶ビール、缶ジュース等の複数個の容器を複数個一列あるいは複数列で起立させた状態のまま整列させて置き、つぎに容器の上部、側部および下部を包み込むようにして包装した紙製のマルチパック用包装箱が使用されている。
【０００３】
このようなマルチパック用包装箱の使用により、複数個の容器を１個の包装体にまとめて一度にかつ簡易に持ち運ぶことができるようになり、さらに、纏め売りの効果も相俟って当該マルチパック用包装箱の使用が近年急速に拡大しつつある。
【０００４】
このようなマルチパック用包装箱に収納された、例えば小壜ビールは、卸元から小売店等に引き渡す場合には、通常１個の出荷カートンケースの上面を構成するフラップを開いて開口部を形成し、この開口部からマルチパック用包装箱を２〜４個、あるいは４個を超える複数個を並べて収納して搬出するようにしている。
【０００５】
小壜ビールを含めて栄養ドリンク用壜等の壜製品を収納するマルチパック用包装箱は、底面板の開口部側の端部に、折り込み片の折込による容器保持機能が形成されておらず、底面板の端面が底板面に沿ったまま露出する状態で底面板の開口部側が形成されているものが多い。この一方で、缶ビール等の缶製品を収納するマルチパック用包装箱は、いわゆるボトムガセットと呼ばれる折り込み片の折込による容器保持機能が形成されているものが多い。
【０００６】
上述したように、いわゆるボトムガセットと呼ばれる容器保持機能を有さない壜製品を収納するマルチパック用包装箱では、底面板の端面が底板面に沿ったまま露出する状態で底面板の開口部側が形成されている。つまり、底面板と側面板との接合箇所も板厚を形成する端部がそのまま露出している。
【０００７】
そのため、製造過程でコンベア上を搬送されているマルチパック用包装箱が、（１）詰まって動かなくなり、互いに位置がずれたまま前後を押し合う状況が生じたり（いわゆる位置ずれ状態でのジャム発生）、あるいは、（２）搬送路のコーナーで互いに位置がずれた状態で、前後が当接する状況が生じたりした場合には、搬送の位置ずれを起こしたまま底面板の開口部側が相互に接触して、マルチパック用包装箱同士の接触に基づく底面板の開口部側の端部や、底面板と側面板との接合箇所が、破損ないし損傷するという不都合が生じる（図５には、底面板と側面板との接合箇所が損傷している状態の一例が示されている）。
【０００８】
このような不良の発生は、２次配送等で、専用外（汎用）のコンテナ等に詰め替えられて輸送された場合等においては、輸送時にも起こり得ると言える。
【０００９】
【特許文献１】特開２００５−３５０１０５号公報
【特許文献２】特開２００５−３４３４６９号公報
【発明の開示】
【発明が解決しようとする課題】
【００１０】
このような課題を解決するために本願発明は創案されたものであって、その目的は、マルチパック用包装箱同士の接触に基づく底面板の開口部側の端部や、底面板と側面板との接合箇所が、破損ないし損傷するという不都合を極力回避することができる新規な形態のマルチパック用包装箱を提供することにある。
【課題を解決するための手段】
【００１１】
このような課題を解決するために、本発明は、複数個を並列に配置された容器群の上面を覆う上面板と、この上面板の両側部に連接され並列された各容器の側面を覆う側面板と、これら側面板に連接され互いに係着しうる係止部を有する第１および第２の底面板とを備え、前記第１および第２の底面板を係着することにより前記容器群を包むように収納することができる底面部が形成され、側面板が存在しない両端部において容器群の一部の側面が覗く開口部が形成されているマルチパック用包装箱において、前記底面部の開口部側の端部には、いわゆるボトムガセットと呼ばれる折り込み片の折込による容器保持機能が形成されておらず、底面部を構成する第１および第２の底面板の端面がそのまま存在する状態で底面部の開口部側が形成されており、前記第１および第２の底面板のいずれか一方にのみ、当該開口部側の端部において切り欠き部が形成されており、当該切り欠き部は、マルチパック用包装箱同士の接触に基づく底面板の開口部側の端部、および底面板と側面板との接合箇所が、破損ないしは損傷するのを防止するように作用するように構成される。
【００１２】
また、本発明のマルチパック用包装箱の好ましい態様として、前記切り欠き部は、底面板の開口部側の端から端までの幅をＷ１とした場合、幅Ｗ１の実質的な中央を中心線ＰとしてＷ２の幅に形成されており、Ｗ２／Ｗ１＝０．２〜０．７の範囲内となるように構成される。
【００１３】
また、本発明のマルチパック用包装箱の好ましい態様として、前記切り欠き部は、前記中心線Ｐを中心として形成された山部と、この山部の両側の裾部に連結して形成された２つの谷部を備えてなるように構成される。
【００１４】
また、本発明のマルチパック用包装箱の好ましい態様として、前記山部の頂部位置は、底面板の開口部側の端から端までを結んだラインよりも包装箱の内側に存在するように構成される。
【００１５】
また、本発明のマルチパック用包装箱の好ましい態様として、前記山部の頂部位置が、底面板の開口部側の端から端までを結んだラインから内側に存在する距離Ｄ１は、Ｄ１＝０〜５ｍｍの範囲内となるように構成される。
【００１６】
また、本発明のマルチパック用包装箱の好ましい態様として、前記切り欠き部を構成する２つの谷部の最下点同士を結んだ距離をＬ１とした場合、Ｌ１／Ｗ１＝０．２〜０．６４の範囲内となるように構成される。
【００１７】
また、本発明のマルチパック用包装箱の好ましい態様として、前記谷部の最下点位置が、底面板の開口部側の端から端までを結んだラインから内側に存在する距離Ｄ２は、Ｄ２＝２〜９ｍｍの範囲内となるように構成される。
【００１８】
また、本発明のマルチパック用包装箱の好ましい態様として、前記切り欠き部は、その形態が、前記中心線Ｐを中心として鏡像関係に形成される。
【００１９】
また、本発明のマルチパック用包装箱の好ましい態様として、前記第１の底面板と側面板の境目である折り線、および前記第２の底面板と側面板の境目である折り線を分断するように、かつ、容器の収納配列に合せて、容器底係止ホールが形成される。
【００２０】
また、本発明のマルチパック用包装箱の好ましい態様として、マルチパック用包装箱の中に収納される容器は、２列配置であり、前記第１および第２の底面板を係着することにより形成される係止片の一部は、折り曲げられて底面から立てられた状態とされ、２列配置の容器を１列ごとに区分けする分離帯の機能を果たすように構成される。
【発明の効果】
【００２１】
本発明は、第１および第２の底面板のいずれか一方にのみ、当該開口部側の端部において切り欠き部が形成されており、当該切り欠き部は、所定の形状からなり、マルチパック用包装箱同士の接触に基づく底面板の開口部側の端部、および底面板と側面板との接合箇所が、破損ないしは損傷するのを防止するように作用するように構成されている。そのため、マルチパック用包装箱同士の接触に基づく底面板の開口部側の端部や、底面板と側面板との接合箇所が、破損ないし損傷してしまうという問題を回避することができる。
【００２２】
これにより包装箱の歩留まりが向上し、例えば、不良箱の検出に基づいて、再度、容器をマルチパック用包装箱に詰め替えるという操作も必要なくなる、という効果が奏される。
【発明を実施するための最良の形態】
【００２３】
以下、本発明のマルチパック用包装箱１の具体的実施の形態の一例（第１実施形態）について、図１〜図４を参照しつつ説明する。
【００２４】
第１実施形態の説明 
図１は、本発明のマルチパック用包装箱１の展開図の一例を示したものであり、図２は、図１に示されるように展開された箱オリジナル紙を組み立てた斜視図である。
【００２５】
本発明の実施例では、マルチパック用包装箱１の中に、小サイズ壜ビール（いわゆるビールの小壜であり、以下、『小壜ビール』という場合もある）で代表される容器が、２列配置で１列あたり３本が配置されて合計６本（２×３）、収納される場合を例に取って説明する。
【００２６】
本発明のマルチパック用包装箱１は、図１に示される展開シート（パック用シート）を組み立てることによって形成することができ、展開シートは、図１に示されるごとく横長の略矩形形状をなしている。
【００２７】
図１に示される展開シートにおいて、その中央部は上面板２を構成し、その両端に側面板３，４がそれぞれ連接されている。
【００２８】
図１において、上面板２の幅エリアは、符号Ｌ２で示される領域であり、側面板３の幅エリアは、符号Ｌ３で示される領域であり、側面板４の幅エリアは、符号Ｌ４で示される領域である。
【００２９】
側面板３の端側となる図面の左側部分には底面板５が形成され、これとは反対位置である側面板４の端側となる図面の右側部分には底面板６が形成されている。
【００３０】
この実施例においては、便宜上、図１の左側に位置する底面板５を『第１の底面板５』と称し、図１の右側に位置する底面板６を『第２の底面板６』と称する。第１の底面板５の幅エリアは、符号Ｌ５で示される領域であり、第２の底面板６の幅エリアは、符号Ｌ６で示される領域である。
【００３１】
第１および第２の底面板５，６を互いに係着させることにより、帯の端部を係止したような筒体が形成され、これにより内部の容器群を包むように収納することができる。
【００３２】
第１および第２の底面板５，６の係着により箱の底面部が形成される。底面部の底部幅Ｗ１（図２参照）は、図１で言えば（Ｌ５−Ｑ５）＋（Ｒ６−Ｑ６）の長さに相当する。図１に示される第２の底面板６のＱ６で示される幅エリアは、第１および第２の底面板５，６の係着によって第１の底面板５のＱ５で示される幅エリアと重なり合って重複する箇所である。図１に示される第２の底面板６のＰ６は、第１および第２の底面板５，６の係着により、余剰のエリアであり、底面部の底部幅Ｗ１を構成するものではない。
【００３３】
第２の底面板６のＰ６は、後述するように、折り曲げられて底面から立てられた状態とされ、２列配置の容器を１列ごとに区分けする、いわゆる分離帯のような機能を果たしている（図２の符号８ｂを参照）。
【００３４】
第１および第２の底面板５，６の係着によって形成される底面部は、直列３個を並列２列に起立状態に整列させた『小壜ビール』６本の底部をホールドできるように、実質的に、図面の縦辺１ａ方向には『小壜ビール』約３本分を載置でき、横片１ｂ方向には『小壜ビール』約２本分を載置できる面積を備えている。ここで、『実質的に』として表現しているのは、後述する容器底係止ホールを設けていることに起因して、本実施形態における横片１ｂ方向の底面幅Ｗ１は、『小壜ビール』約２本分の長さよりはわずかに短く設定されているからである。
【００３５】
上面板２は、直列３個を並列２列に起立状態に整列させた『小壜ビール』６個の上部をホールドできるように、図面の縦辺１ａ方向には、『小壜ビール』３本の口部、横片１ｂ方向には『小壜ビール』２本分の口部を、実質的に覆うことができる面積を備えている。『実質的に覆うことができる面積』としているのは、後述する孔部３１、４１の存在意義を考慮しているためである。
【００３６】
なお、符号１６は、包装箱を持ち上げたり、持ち運びする際に、例えば、親指と人差し指を挿入することができるフィンガーホール（２箇所）を示している。
【００３７】
上面板２の両側には『小壜ビール』の側部を覆うようにして、その長さに相当する側面板３，４がそれぞれ、境界線をなす折り線２ａ，２ｂを介して連設されている。これらの折り線２ａ，２ｂに沿うように、側面板３，４側には、それぞれ３個づつの孔部３１，４１が形成されている。孔部３１，４１は、『小壜ビール』の先端口部の近傍の一部を露出させるとともに、『小壜ビール』の先端口部を係止・固定させる機能を有している。
【００３８】
側面板３は折り線３ａを介して、第１の底面板５に連接され、側面板４は折り線４ａを介して、第２の底面板６に連接されている。
【００３９】
図１に示されるごとく、第１および第２の底面板５，６には、容器を包み込むような筒状体を形成することができるように、先端部で互いに係着し得る雌側の係止部７（第１の底面板５側（図面左側））および雄側の係止部８（第２の底面板６側（図面右側））が、それぞれ形成されている。
【００４０】
図面の左側に位置している第１の底面板５側の係止部７は、先端部を形成する展開シートの一方の縦辺１ａに平行な第１係止部７ａと、その内側に同じく縦辺１ａに平行に設けられた第２係止部７ｂとから構成されている。これら第１係止部７ａ、および第２係止部７ｂは、図１に示されるごとく、縦辺１ａの中央とその両端側の３箇所に、それぞれ設けられている。
【００４１】
この実施形態において、第１係止部７ａの形状は切り抜かれた縦長の略四角孔となっていて、その孔の一辺ａが係合部に形成され、第２係止部７ｂの形状は切り込みとなっている。
【００４２】
これに対し、図面の右側に位置している第２の底面板６側の雄側の係止部８は、前記第１係止部７ａおよび第２係止部７ｂとに、それぞれ係着し得るように形成された第１係止部８ａおよび第２係止部８ｂとから構成されている。この実施の形態において、第１係止部８ａの形状は、縦辺１ａに平行な直線で中央が内側に凹部ｂとなる切り込みとなっている。第２係止部８ｂの形状は、第１係止部８ａの幅から縦辺１ａの外側へ先細りとなって首部ｄに至り、これに続く先端は首部ｄより幅のある頭部ｃとして形成されている。
【００４３】
具体的な係合の仕方は次の通りである。すなわち、第２の底面板６の縦辺１ａに設けられている雄側の第２係止部８ｂを頭部ｃから第１の底面板５側の縦辺１ａ方向に設けられている雌側の第１係止部７ａの孔を通して第２係止部７ｂと互いに係着させて第１係止部８ａの首部ｄで抜け止めするとともに、雄側の第１係止部８ａの凹部ｂを雌側の第１係止部７ａの横長の四角孔を形成する一辺ａに係着させる。これによりマルチパック用シートは無端状態に形成されて缶ビールに帯がかかった状態の缶入りマルチパック用包装箱となる。
【００４４】
なお、本実施形態の場合、頭部ｃ（符号８ｂ）の部分は、図２に示されるように、通常、係止された後、折り曲げられて底面から立てられた状態とされ、あたかも、２列の『小壜ビール』を１列ごとに区分けする、いわゆる分離帯のような役目をさせている。
【００４５】
図１に示されるように第１の底面板５と側面板３の境目である折り線３ａ近傍、および第２の底面板６と側面板４の境目である折り線４ａ近傍には、『小壜ビール』の収納配列に合せて、『小壜ビール』の壜底の一部分と係止し、各『小壜ビール』の配置位置を規制するための壜底係止ホール５１および６１が、それぞれ３個ずつ形成されている。さらに、壜底係止ホール５１および６１の側面板側の上部には、図１に示されるように、壜底係止ホール５１および６１に連接して、押さえフラップ片７１および８１が、それぞれ、形成されている。押さえフラップ片７１，８１は、万年筆のペン先形状のごとく中央にスリット７１ａ，８１ａが形成されており、これにより、押さえフラップ７１，８１片全体の動きが柔軟になり、『小壜ビール』の壜底係止ホール５１，６１への装着を容易ならしめている。
【００４６】
なお、側面板３には、略中央部に位置し、端から端まで亘って帯状に形成される切り取り用のジッパー９０を備えている。このジッパー９０は開封性を容易にするために形成されている。このジッパー９０は、反対の側面である側面板４側に形成するようにしてもよい。
【００４７】
このような第１および第２の底面板５，６を係着することにより、『小壜ビール』等の容器群を包むように収納できるマルチパック用包装箱１が組み立てられる。第１および第２の底面板５，６の係着により、包装箱の底となる底面部が形成される。そして、図２に示されるようにマルチパック用包装箱１の側面板３，４が存在しない両端部において容器群の一部の側面が覗く開口部１００がそれぞれ両端に形成される。
【００４８】
〔本発明の要部の説明〕
本発明のマルチパック用包装箱１は、その底面部の開口部１００側の端部には、いわゆるボトムガセットと呼ばれる折り込み片の折込による容器保持機能が形成されておらず、底面部を構成する第１および第２の底面板の端面がそのまま存在する状態で底面部の開口部１００側が形成されているタイプのものを対象としている。従って、例えば、従来技術の特開２００５−３４３４６９号公報の図３や図４に示されるような容器保持機能付きマルチパック用包装箱は対象外とされる。
【００４９】
本発明のマルチパック用包装箱１は、図１や図２に示されるように、底面部を構成する第１および第２の底面板５，６の端面がそのまま存在する状態で底面部の開口部１００側が形成されている。つまり、開口部１００側の端部における第１および第２の底面板５，６は、その端面において、底面板の厚さ部分がそのまま露出している（底面板の厚さ部分を隠すような折込等の処理はなされていない）。それゆえ、何の手立ても講じなければ従来技術で説明したような問題が生じ得る。
【００５０】
そのような従来技術の問題点を解決するために、本発明のマルチパック用包装箱１は、第１および第２の底面板５，６のいずれか一方にのみ、両開口部１００側の端部において切り欠き部２００が形成されている。第１および第２の底面板５，６のいずれか一方にのみに切り欠き部２００を形成することにより、切り欠き部２００の形態の安定性を保証することができる。（２枚の底面板５，６を合体させて切り欠き部２００を形成するのであれば、２枚の底面板５，６の合体部の緩み等により、切り欠き部２００の形態が変動するおそれが生じる。）
【００５１】
本発明における切り欠き部２００は、マルチパック用包装箱同士の接触に基づく底面板の開口部側の端部、および底面板と側面板との接合箇所が、破損ないしは損傷するのを防止するように作用するように設けられている。
【００５２】
このような切り欠き部２００は、図２に示されるように、底面板の開口部側の端から端までの幅をＷ１とした場合、幅Ｗ１の実質的な中央を中心線ＰとしてＷ２の幅に形成されており、Ｗ２／Ｗ１＝０．２〜０．７の範囲、より好ましくは、０．２６〜０．５５の範囲に形成される。本願発明の作用効果を確実に奏させるためである。そして、切り欠き部２００の形態は、中心線Ｐを中心として形成された山部２０１と、この山部２０１の両側の裾部に連結して形成された２つの谷部２０８，２０９を備えている。切り欠き部２００は、その形態が、前記中心線Ｐを中心として鏡像関係に形成されていることが望ましい。
【００５３】
山部２０１の頂部位置は、底面板５の開口部側の端から端までを結んだラインＧ１よりも包装箱の内側に存在していることが好ましい。山部２０１の頂部位置が、底面板の開口部側の端から端までを結んだラインＧ１から内側に存在する距離Ｄ１は、Ｄ１＝０〜５ｍｍ、好ましくは０．５〜３ｍｍの範囲内とすることが好ましい。
【００５４】
このＤ１値が下限値である０ｍｍ未満となり、ラインＧ１よりも外方に出っ張ると、マルチパック用包装箱同士の接触に基づく底面板の開口部側の端部や、底面板と側面板との接合箇所が、破損ないし損傷するという不都合を回避させることの確実性が格段と優れたものとは言えなくなるおそれがある。また、このＤ１値が上限値である５ｍｍを越えると、図３に示される切り欠き部２００近傍の第２係止部７ｂの一部を構成する切り取り線部７ｃとの距離が短くなって、強度の点からの問題が生じる。
【００５５】
２つの谷部２０８，２０９の最下点位置が、底面板の開口部側の端から端までを結んだラインＧ１から内側に存在する距離Ｄ２は、Ｄ２＝２〜９ｍｍの範囲内、好ましくは２〜５ｍｍの範囲内とすることが好ましい。本願発明の作用効果を奏させるためである。
【００５６】
切り欠き部２００を構成する２つの谷部２０８，２０９の最下点同士を結んだ距離をＬ１とした場合、Ｌ１／Ｗ１＝０．２〜０．６４、好ましくは、０．２６〜０．４５とするのが良い。本願発明の作用効果を奏させるためである。
【００５７】
なお、底面板の開口部側の端から端までの幅Ｗ１は、胴部径Ｄbの『小壜ビール』容器の２本分２Ｄbに対して、Ｗ１＝（０．７１〜０．８３）２Ｄbの範囲内、好ましくは（０．７４〜０．８０）２Ｄbの範囲内に設定される。『小壜ビール』の壜底の一部分と係止する壜底係止ホール５１および６１により、配置位置を確実に規制できるようにするためである。
【００５８】
なお、図１における符号９は、開口部近傍において収納される容器の頭部を支えるための折込片であり、符号２ｃは山折り、符号１０ｂは谷折り、符号１０ａは山折りとされる。
【００５９】
第２実施形態の説明 
次に、本発明のマルチパック用包装箱１の他の具体的実施形態（第２実施形態）について、図４を参照しつつ説明する。
【００６０】
図４は、図１に相当する本発明のマルチパック用包装箱の展開図（第２実施形態）を示したものである。図４に示される第２実施形態が、前述した第１実施形態（図１）と異なるのは、図４に示されるように、第２係止部７ｂの近傍に、いわゆるガードロック片７９が設けられている点にある。ガードロック片７９は、底面部にカット線と罫線を組み合わせて、ほぼ３角錐状に隆起させることで、壜と壜の空間を埋めて、壜のずれを防止し、底部の保持力を強化させるという機能を発揮させるために形成されている。ただし、ガードロック片７９は、切り欠き部２００と極めて近接する箇所に形成されているために、強度上の問題が生じるおそれがある。従って、強度の点を特に考慮すれば、第１実施形態（図１）の方が好ましいと言える。
【００６１】
なお、ガードロック片７９の有無を除けば、第２実施形態(図４)と第１実施形態（図１）は、双方同じ構造であり、図４において、省略可能な部材符号は省略してある。
【００６２】
なお、本発明における実施形態では、小壜ビールの包装を例にとって説明したが、このものに限定されるものではない。例えば、栄養ドリンク用壜等の各種壜製品にも適用できることは勿論のことである。
【実施例】
【００６３】
（本発明サンプル１の作製）
図１に示されるような展開図から構成される本発明のマルチパック用包装箱のサンプルを作製した。
【００６４】
主要寸法は、以下のとおりとした。
【００６５】
Ｌ２＝７６ｍｍ
Ｌ３＝１９９ｍｍ
Ｌ４＝１９９ｍｍ
Ｌ５＝８６ｍｍ
Ｌ６＝６９．５ｍｍ
Ｑ５＝３３．５ｍｍ
Ｒ６＝１７．５ｍｍ
Ｑ６＝３３．５ｍｍ
Ｐ６＝１８．５ｍｍ
Ｗ１＝（Ｌ５−Ｑ５）＋（Ｒ６−Ｑ６）＝１０３．５
【００６６】
容器として使用した『小壜ビール』の胴部径Ｄbは、６２ｍｍであり、２Ｄbは１２４ｍｍ。
【００６７】
＜切り欠き部２００の形態の設定＞
切り欠き部２００の形態は、図１および図３に示されるように、中心線Ｐを中心として形成された山部と、この山部の両側の裾部に連結して形成された２つの谷部（同じ形状）を備えてなる形態とした。なお、山部の頂部位置は、図３に示されるように、底面板の開口部側の端から端までを結んだラインＧ１よりも包装箱の内側に存在するように設定した。
【００６８】
山部は、約４０Rの円弧、谷部は約１８Rの円弧とし、谷部からラインＧ１近傍に到達する箇所は約２０Rの円弧とした。
【００６９】
切り欠き部２００の基本的な寸法設定は以下の通りとした。
【００７０】
Ｗ２＝５６．７５ｍｍ、Ｗ２／Ｗ１＝０．５５
Ｄ１＝１．４４ｍｍ
Ｄ２＝３ｍｍ
Ｌ１＝２７ｍｍ、Ｌ１／Ｗ１＝０．２６
【００７１】
このような本発明サンプル１を用いて、マルチパック用包装箱同士の開口部側同士を衝突させる実験をおこなった。すなわち、対向する開口部の位置を０．３Ｗ１ピッチ程度ずらした状態でいわゆるオフセット押圧し、底面板の開口部側の端部や、底面板と側面板との接合箇所が、破損ないし損傷するという不都合が生じるか否かの確認を行った。サンプル数Ｎは、Ｎ＝２０個とした。この実験の結果、本発明サンプル１では、不良レベルに至るまでの破損ないし損傷の発生率は、０％であった。
【００７２】
これに対して、切り欠き部２００を備えていない従来の比較サンプル１では、不良レベルに至るまでの破損ないし損傷の発生率は、１００％であった。
【００７３】
また、山部および谷部の円弧を変えつつ、Ｌ１およびＷ２を大きくして、Ｗ２／Ｗ１およびＬ１／Ｗ１の上限値を越えた比較サンプル２では、図３の７Ｃに徐々に接近するためにサンプルの作製が困難となる傾向がある。サンプル作製できたものについての不良レベルに至るまでの破損ないし損傷の発生率は、本発明サンプル１の極めて良好なレベルまでには到達することができなかった。
【００７４】
同様に、山部および谷部の円弧を変えつつ、Ｌ１およびＷ２を小さくして、Ｗ２／Ｗ１およびＬ１／Ｗ１の下限値を未満の比較サンプル３では、不良レベルに至るまでの破損ないし損傷の発生率は、本発明サンプル１の極めて良好なレベルまでには到達することができなかった。
【００７５】
以上の結果より、本発明の効果は明らかである。すなわち、本発明のマルチパック用包装箱は、複数個を並列に配置された容器群の上面を覆う上面板と、この上面板の両側部に連接され並列された各容器の側面を覆う側面板と、これら側面板に連接され互いに係着しうる係止部を有する第１および第２の底面板とを備え、前記第１および第２の底面板を係着することにより前記容器群を包むように収納することができる底面部が形成され、側面板が存在しない両端部において容器群の一部の側面が覗く開口部が形成されているマルチパック用包装箱であり、前記底面部の開口部側の端部には、いわゆるボトムガセットと呼ばれる折り込み片の折込による容器保持機能が形成されておらず、底面部を構成する第１および第２の底面板の端面がそのまま存在する状態で底面部の開口部側が形成されており、前記第１および第２の底面板のいずれか一方にのみ、当該開口部側の端部において切り欠き部が形成されており、当該切り欠き部は、マルチパック用包装箱同士の接触に基づく底面板の開口部側の端部、および底面板と側面板との接合箇所が、破損ないしは損傷するのを防止するように作用する。従って、マルチパック用包装箱同士の接触に基づく底面板の開口部側の端部や、底面板と側面板との接合箇所が、破損ないし損傷してしまうという問題を回避することができる。
【図面の簡単な説明】
【００７６】
【図１】図１は、本発明の包装箱の展開図の一例を示したものである。
【図２】図２は、図１に示されるように展開された箱オリジナル紙を組み立てた斜視図である。
【図３】図３は、本発明の要部である切り欠き部２００の近傍の拡大図であり、特に、切り欠き部２００の形態を説明するための図面である。
【図４】図４は、本発明の包装箱の他の展開図の一例を示したものである。
【図５】図５は、従来技術の問題点を説明するための図面であり、底面板と側面板との接合箇所が損傷している状態の一例を示す図面である。
【符号の説明】
【００７７】
１…マルチパック用包装箱
２…上面板
３，４…側面板
５…第１の底面板
６…第２の底面板
５０…切り欠き部
２００…切り欠き部
【図１】
2010058790.tif 000003
【図２】
2010058790.tif 000004
【図３】
2010058790.tif 000005
【図４】
2010058790.tif 000006
【図５】
2010058790.tif 000007